(57)【要約】【課題】  既存の住宅用ヒートポンプ型エアコンディショナーの室外機を流用することができ、伝熱部に冷温水を導いて快適な冷暖房効果が得られる住宅用冷暖房装置を提供すること。【解決手段】  冷房運転時に冷媒を凝縮させる凝縮機能を有し、かつ暖房運転時に前記冷媒を蒸発させる蒸発機能を有する電力駆動式の空気側熱交換器１と、前記冷媒と水とを熱交換して冷温水とする水側熱交換器２と、水側熱交換器２の冷温水が配管を通して導かれる伝熱部３２，３４ａ，３４ｂ，３６とを備え、空気側熱交換器１と水側熱交換器２とを別体に構成した。【選択図】  図１
2005201603.tif 000002
【特許請求の範囲】
【請求項１】
冷房運転時に冷媒を凝縮させる凝縮機能を有し、かつ暖房運転時に前記冷媒を蒸発させる蒸発機能を有する電力駆動式の空気側熱交換器と、
前記冷媒と水とを熱交換して冷温水とする水側熱交換器と、
前記水側熱交換器の冷温水が配管を通して導かれる伝熱部と、
を備え、
前記空気側熱交換器と前記水側熱交換器とを別体に構成したことを特徴とする住宅用冷暖房装置。
【請求項２】
請求項１記載の住宅用冷暖房装置において、
前記水側熱交換器は、設置状態で上下方向に延びる長円状に巻回形成され、かつ前記冷媒と水とを熱交換して冷温水とする熱交換用配管を有することを特徴とする住宅用冷暖房装置。
【請求項３】
請求項２記載の住宅用冷暖房装置において、
前記熱交換用配管は、前記水を流通させる水配管と、当該水配管内に挿通され前記空気側熱交換器から導かれる冷媒を流通させる複数本の冷媒配管とを備えたことを特徴とする住宅用冷暖房装置。
【請求項４】
請求項３記載の住宅用冷暖房装置において、
前記複数本の冷媒配管は、前記水配管内の径方向に放射状に配置される放射状配管と、これら放射状配管の内側に配置される螺旋状配管とを備えたことを特徴とする住宅用冷暖房装置。
【請求項５】
請求項４記載の住宅用冷暖房装置において、
前記螺旋状配管は、螺旋ピッチを１３０〜２３０ｍｍの範囲としたことを特徴とする住宅用冷暖房装置。
【発明の詳細な説明】
【技術分野】
【０００１】
本発明は、一般住宅に設置されて室内の冷暖房を行うための住宅用冷暖房装置に関する。
【背景技術】
【０００２】
一般に、住宅用冷暖房装置には、ヒートポンプ式の冷暖房装置がある。この冷暖房装置は、ベランダやバルコニーなどに室外機を設置し、この室外機により冷房時には室内の熱を吸収して大気中に熱を運び込む一方、暖房時には大気中の熱を吸収して室内に運び込むことにより、冷暖房を行っている。
【０００３】
他方、住宅用冷暖房装置には、ガス温水冷暖房システムがある。このガス温水冷暖房システムは、ベランダやバルコニーなどに大型ガスボイラを設置し、このガスボイラにて得られた温水を循環ポンプにより水回りへの給湯や各室への冷暖房機に送り、暖房や除湿を行っている。
【発明の開示】
【発明が解決しようとする課題】
【０００４】
しかしながら、上述したヒートポンプ式の冷暖房装置では、フロンまたは代替フロン冷媒を循環させているため、火災などの災害時に熱せられると有害ガスの発生や引火性を有するなどの点で好ましくない特性を有するとともに、室内の急激な温度変化や室内を必要以上に乾燥させてしまう不具合があり、快適な冷暖房効果が得られないという問題がある。
【０００５】
したがって、住宅の冷暖房装置の冷媒には、本来水を用いるのが理想とされている。従来、このように冷媒に水を用いた空調ユニットには、ヒートポンプチラーという産業（業務）用の冷温水生成装置があるものの、当該ヒートポンプチラーは、本体機器が大き過ぎ、施工が困難であることから、そのまま住宅に流用することができないという問題がある。そのため、上記ヒートポンプチラーを小型にしようとした場合には、新たに住宅用として製造する必要があることから、製造時間および製造コストが増加するという問題があった。
【０００６】
他方、ガス温水冷暖房システムは、動力源としてガスを用いているため、環境汚染や安全性に対して好ましいものではなく、また大型ガスボイラの安全性を考慮して耐用年数が７〜１０年と短いためランニングコストが高く、そして動力源としてエネルギーコストが高くなるという課題がある。
【０００７】
本発明は上述した事情を考慮してなされたもので、既存の住宅用ヒートポンプ型エアコンディショナーの室外機を流用することができ、伝熱部に冷温水を導いて快適な冷暖房効果が得られる住宅用冷暖房装置を提供することを目的とする。
【課題を解決するための手段】
【０００８】
上記の課題を解決するため、請求項１に記載の発明は、冷房運転時に冷媒を凝縮させる凝縮機能を有し、かつ暖房運転時に前記冷媒を蒸発させる蒸発機能を有する電力駆動式の空気側熱交換器と、前記冷媒と水とを熱交換して冷温水とする水側熱交換器と、前記水側熱交換器の冷温水が配管を通して導かれる伝熱部と、を備え、前記空気側熱交換器と前記水側熱交換器とを別体に構成したことを特徴とする。
【０００９】
請求項１記載の発明によれば、空気側熱交換器と水側熱交換器とを別体に構成したことにより、空気側熱交換器に既存の住宅用ヒートポンプ型エアコンディショナーの室外機を流用することができ、水側熱交換器を新たに設置するだけで伝熱部に冷温水を導くことができる。
【００１０】
したがって、空気側熱交換器に既存の住宅用ヒートポンプ型エアコンディショナーの室外機を流用することができ、かつ水側熱交換器を新たに設置するだけで冷温水を冷媒とする住宅用冷暖房装置を提供することができるため、施工工数、製造時間および製造コストを削減することができる。また、伝熱部に冷温水を導くことができるため、屋内の急激な温度変化や屋内を必要以上に乾燥させてしまう不具合を解消し、快適な冷暖房効果が得られる。
【００１１】
請求項２記載の発明は、請求項１記載の住宅用冷暖房装置において、前記水側熱交換器は、設置状態で上下方向に延びる長円状に巻回形成され、かつ前記冷媒と水とを熱交換して冷温水とする熱交換用配管を有することを特徴とする。
【００１２】
請求項２記載の発明によれば、水側熱交換器は、設置状態で上下方向に延びる長円状に巻回形成された熱交換用配管を有することから、冷媒と水との熱交換効率を高めるとともに、設置スペースを削減することができる。
【００１３】
請求項３記載の発明は、請求項２記載の住宅用冷暖房装置において、前記熱交換用配管は、前記水を流通させる水配管と、当該水配管内に挿通され前記空気側熱交換器から導かれる冷媒を流通させる複数本の冷媒配管とを備えたことを特徴とする。
【００１４】
請求項３記載の発明によれば、熱交換用配管は、水を流通させる水配管と、水配管内に挿通され空気側熱交換器から導かれる冷媒を流通させる複数本の冷媒配管とを備えたことにより、冷媒と水との熱交換効率を一段と高めることができる。
【００１５】
請求項４記載の発明は、請求項３記載の住宅用冷暖房装置において、前記複数本の冷媒配管は、前記水配管内の径方向に放射状に配置される放射状配管と、これら放射状配管の内側に配置される螺旋状配管とを備えたことを特徴とする。
【００１６】
請求項４記載の発明によれば、複数本の冷媒配管は、放射状配管の内側に螺旋状配管を配置したことにより、複数本の冷媒配管が径方向に分散して配置されるため、水の流通を円滑にすることができる。また、螺旋状配管を配置したことで、水との接触面積が増し、冷媒と水との熱交換効率を一段と高めることができる。
【００１７】
請求項５記載の発明は、請求項４記載の住宅用冷暖房装置において、前記螺旋状配管は、螺旋ピッチを１３０〜２３０ｍｍの範囲としたことを特徴とする。
【００１８】
請求項５記載の発明によれば、螺旋状配管は、螺旋ピッチを１３０〜２３０ｍｍの範囲としたことにより、螺旋状配管内に冷媒を円滑に流通させるとともに、水との接触面積を増加させることができる。
【００１９】
すなわち、螺旋ピッチが１３０ｍｍ未満では、水に対する接触面積がさらに増大するものの、螺旋状配管内に冷媒を円滑に流通させることができない。また、螺旋ピッチが２３０ｍｍを超えた場合には、螺旋状配管内に冷媒を円滑に流通させることができるものの、水との接触面積が減少し、熱交換効率が低くなる。よって、螺旋ピッチを１３０〜２３０ｍｍの範囲とした。
【発明の効果】
【００２０】
以上説明したように、本発明によれば、空気側熱交換器と水側熱交換器とを別体に構成したことにより、空気側熱交換器に既存の住宅用ヒートポンプ型エアコンディショナーの室外機を流用することができ、水側熱交換器を新たに設置するだけで伝熱部に冷温水を導くことができる。
【００２１】
したがって、本発明によれば、空気側熱交換器に既存の住宅用ヒートポンプ型エアコンディショナーの室外機を流用することができ、かつ水側熱交換器を新たに設置するだけで冷温水を冷媒とする住宅用冷暖房装置を提供することができるため、施工工数、製造時間および製造コストを削減することができる。また、伝熱部に冷温水を導くことができるため、室内の急激な温度変化や室内を必要以上に乾燥させてしまう不具合を解消し、快適な冷暖房効果が得られる。
【発明を実施するための最良の形態】
【００２２】
以下、本発明の実施形態を図面に基づいて説明する。
【００２３】
図１は本発明に係る住宅用冷暖房装置の一実施形態を示す配管系統図、図２は図１における空気側熱交換器および水側熱交換器の内部構造を示す構成図、図３（Ａ），（Ｂ）は図２の熱交換用配管を示す正面図，側面図、図４（Ａ），（Ｂ）は図３の熱交換用配管を示す縦断面図，横断面図、図５は本発明に係る住宅用冷暖房装置の一実施形態を示す空調系統図である。なお、本実施形態における空気側熱交換器および伝熱部は、一般のヒートポンプ式のエアコンディショナーを構成し、この場合、空気側熱交換器が室外機となり、伝熱部が室内機となる。
【００２４】
図１に示すように、既存の空冷パッケージ型エアコンディショナーの室外機を適用した空気側熱交換器１は、屋外に設置され電力により駆動して冷房運転時にフロンまたは代替フロンなどの冷媒を凝縮させる凝縮機能を有し、かつ暖房運転時に上記冷媒を蒸発させる蒸発機能を有する。
【００２５】
また、空気側熱交換器１は、水側熱交換器２と２本の冷媒配管３ａ，３ｂを介して接続されており、図２に示すように電力により駆動して冷媒を圧縮する圧縮機４を有し、この圧縮機４は、アキュームレータ５を介して四方弁６と接続され、この四方弁６を切り替えることにより、冷房運転時には圧縮機４で高温高圧に圧縮された冷媒を送風機７側に導き、当該送風機７の送風によって凝縮して低圧液冷媒を水側熱交換器２で蒸発させ循環水を冷水に変換し冷媒が圧縮機３に戻るように構成されている。そして、暖房運転時には、圧縮機４で高温高圧に圧縮された冷媒を水側熱交換器２で凝縮して循環水を温水に変換し、冷媒は空気側熱交換器１で蒸発し、圧縮機４に戻るように構成されている。
【００２６】
一方、水側熱交換器２は、空気側熱交換器１の近傍に設置されて別体に構成され、冷媒と循環水とを熱交換して冷温水とする。すなわち、水側熱交換器２は、冷房運転時に空気側熱交換器１によって凝縮した冷媒が供給され、水側熱交換器２で屋内を循環する循環水と熱交換して循環水を冷水とする一方、暖房運転時には圧縮機４により圧縮された冷媒が供給され、水側熱交換器２で屋内を循環する循環水と熱交換して循環水を温水とする。
【００２７】
また、水側熱交換器２は、屋内を上記冷水または温水となった循環水を循環させるための循環ポンプ８と、循環水を補給するための加圧ポンプ９と、冷媒と循環水とを熱交換して冷温水とする熱交換用配管１０とを備えている。
【００２８】
熱交換用配管１０は、図２および図３（Ａ），（Ｂ）に示すように径が４４．５５ｍｍで、全長４０００ｍｍの銅管を設置状態で上下方向に延びる長円状に折り曲げて巻回形成し、両端にそれぞれ接続された冷媒導管１１ａ，１１ｂを介して２本の冷媒配管３ａ，３ｂと接続されている。そして、熱交換用配管１０には、熱交換されて冷水または温水となった循環水を屋内に供給するための供給配管１２と、後述する屋内の伝熱部で温水または冷水となった循環水を受ける受け配管１３とが接続されている。この受け配管１３には、上記循環ポンプ８が介挿されるとともに、加圧ポンプ９に接続される補給管１４が分岐して接続されている。
【００２９】
熱交換用配管１０は、図３（Ａ），（Ｂ）および図４（Ａ），（Ｂ）に示すように径が４４．５５ｍｍで循環水を流通させる循環水配管１５と、この循環水配管１５内に挿通され空気側熱交換器１から導かれる冷媒を流通させる径が８ｍｍで８本の冷媒配管１６とを備え、これら８本の冷媒配管１６は、循環水配管１５内の径方向に放射状に配置された７本の放射状配管１６ａと、これら７本の放射状配管１６ａの内周側に配置された１本の螺旋状配管１６ｂとを有している。
【００３０】
この螺旋状配管１６ｂの螺旋ピッチＰは、１３０〜２３０ｍｍの範囲であって、好ましくは１８０ｍｍに設定されている。すなわち、螺旋ピッチＰが１３０ｍｍ未満では、循環水に対する接触面積がさらに増大するものの、螺旋状配管１６ｂ内に冷媒を円滑に流通させることができない。また、螺旋ピッチＰが２３０ｍｍを超えた場合には、螺旋状配管１６ｂ内に冷媒を円滑に流通させることができるものの、循環水との接触面積が減少し、熱交換効率が低くなる。よって、螺旋ピッチＰは、１３０〜２３０ｍｍの範囲、好ましくは１８０ｍｍに設定されている。
【００３１】
さらに、水側熱交換器２の供給配管１２および受け配管１３には、図１に示すように上記冷水または温水となった循環水を循環させるため、それぞれ防振フレキシブル管１７，１８を介して３２Ａ径の被覆銅管からなる往き配管２１および戻り配管２２の一端がそれぞれ接続され、これら往き配管２１および戻り配管２２の他端は、それぞれファンコイルユニット側の往きヘッダー２３および戻りヘッダー２４に接続されている。そして、往き配管２１および戻り配管２２は、それぞれ途中から分岐して床暖房側の往きヘッダー２５および戻りヘッダー２６に接続されている。
【００３２】
ここで、ファンコイルユニット側の往きヘッダー２３および戻りヘッダー２４は、それぞれ例えば天井裏空間２７内に配置される一方、床暖房側の往きヘッダー２５および戻りヘッダー２６は、それぞれ例えば床下空間２８内に配置される。
【００３３】
往きヘッダー２３および戻りヘッダー２４には、複数の分岐配管３１の一端が接続され、これらの分岐配管２１は、銅管を折り曲げて配設する継目なし配管が用いられ、これらの分岐配管３１の他端が天井裏空間２７内に複数配置された伝熱部としての天井カセット形のファンコイルユニット３２に直接接続されている。
【００３４】
一方、床暖房側の往きヘッダー２５および戻りヘッダー２６には、図１に示すように１２．７ｍｍ径のなまし銅管からなる分岐配管３３ａ，３３ｂの各一端がそれぞれ接続され、これらの分岐配管３３ａ，３３ｂはなまし銅管を折り曲げて配設する継目なし配管が用いられ、各他端が床下空間２８内に複数配置された伝熱部としての床暖房パネル３４ａ，３４ｂにそれぞれ接続されている。
【００３５】
また、床暖房側の往きヘッダー２５および戻りヘッダー２６には、１２．７ｍｍ径のなまし銅管からなる分岐配管３５の各一端がそれぞれ接続され、これらの分岐配管３５はなまし銅管を折り曲げて配設する継目なし配管が用いられ、各他端が床下空間２８内に配置された伝熱部としてのポリエチレン製の蛇行部３６にそれぞれ接続されている。この蛇行部３６は分岐配管３５と図示しないユニオン継手を介して接続され、蛇行部３６に温水が供給されてそのまま床暖房として用いられる。
【００３６】
なお、往きヘッダー２５側に接続された分岐配管３３ａ，３３ｂ，３５には、それぞれ電磁弁３７が介挿され、床暖房が不要な時期には、これらの電磁弁３７を閉止しておき、往きヘッダー２５側に接続された分岐配管３３ａ，３３ｂ，３５に循環水が供給されないようにしている。
【００３７】
次に、本実施形態の空調系統を図５に基づいて説明する。
【００３８】
住宅の壁面３８には、新鮮空気を取り入れる取入口４０および屋内の汚れた空気を屋外に排出する吐出口４１がそれぞれ取り付けられ、取入口４０には吸気ダクト４２の一端が接続され、この吸気ダクト４２にはフィルタ４３が介挿されて他端が全熱換気扇４４に接続されている。この全熱換気扇４４には吐出口４１に一端が接続された排気ダクト４５の他端も接続されている。
【００３９】
また、全熱換気扇４４には、吸気ダクト４６および供給ダクト４７の一端がそれぞれ接続され、吸気ダクト４６の他端に設けられた吸気口４８が室内に臨んでいる。そして、供給ダクト４７にはファン４９が配設され、その他端がチャンバボックス５０に接続されている。
【００４０】
チャンバボックス５０には、６本の排気ダクト５１の一端がそれぞれ接続され、これらの排気ダクト５１における２本の他端は、それぞれファンコイルユニット３２に接続される一方、４本の他端には外気を直接屋内に供給する排気口５２が設けられている。各ファンコイルユニット３２には、上述したように水側熱交換器２によって熱交換された冷温水が供給されており、この冷温水によって熱交換された冷風または温風が各ファンコイルユニット３２の吹出口から室内に吹き出される。
【００４１】
このように構成された空調系統では、ファン４９を駆動させると、取入口４０から新鮮空気を取り入れ、この新鮮空気が吸気ダクト４２を通りフィルタ４３にて粉塵などが除去された後、全熱換気扇４４および供給ダクト４７を経てチャンバボックス５０に供給される。
【００４２】
このチャンバボックス５０に供給された新鮮空気は、４本の排気ダクト５１を通り、各排気口５２から直接室内に排気されるとともに、２本の排気ダクト５１を通り、水側熱交換器２から供給された冷温水により冷風または温風に熱交換されて各ファンコイルユニット３２の吹出口から吹き出される。
【００４３】
次に、本実施形態の作用を説明する。
【００４４】
図１に示すように冷房運転時には、空気側熱交換器１によって凝縮した冷媒が水側熱交換器２で蒸発し冷水とする。この冷水は循環ポンプ８を駆動させることにより、供給配管１２、往き配管２１を経て往きヘッダー２３に供給される。次いで、往きヘッダー２３に供給された冷水は、天井裏空間２７に配置された複数の分岐配管３２により分岐された後、各ファンコイルユニット３２に供給される。
【００４５】
そして、各ファンコイルユニット３２には、図５に示す空調系統により外気が供給されており、この外気が冷水によって熱交換されて冷風となり、この冷風が各ファンコイルユニット３２の吹出口から室内に吹き出されて冷房が行われる。
【００４６】
ここで、ガス冷媒に対応した冷暖房装置の冷媒温度は、短時間に急激に変化するものの、本実施形態の冷水温度は、急激に変化しないため、ほぼ一定温度の冷風が各ファンコイルユニット３２の吹出口から室内に吹き出されることになり、居住者に対して快適な冷房を提供することができる。
【００４７】
また、各ファンコイルユニット３２にて熱交換されて温まった循環水は、複数の分岐配管３１を経て戻りヘッダー２４に戻された後、この戻りヘッダー２４からは戻り配管２２および受け配管１３を経て水側熱交換器２に戻り、再度冷水とされて上記と同様に屋内を循環する。
【００４８】
なお、冷房時には、床暖房用の分岐配管３３ａ，３３ｂ，３５に介挿された電磁弁３７を閉止しておき、各分岐配管３３ａ，３３ｂ，３５にそれぞれ循環水が供給されないようにしておく。
【００４９】
一方、暖房運転時には、床暖房用の分岐配管３３ａ，３３ｂ，３５に介挿された電磁弁３７を予め開いておく。そして、圧縮機４を駆動させることにより圧縮された冷媒が水側熱交換器２に供給され、屋内を循環する循環水と熱交換して循環水を温水とする。この温水は循環ポンプ８を駆動させることにより、供給配管１２、往き配管２１を経て往きヘッダー２３，２５に供給される。次いで、往きヘッダー２３に供給された温水は、複数の分岐配管３１により分岐されて各ファンコイルユニット３２に供給される。また、往きヘッダー２５に供給された温水は、複数の分岐配管３３ａ，３３ｂ，３５により分岐されて床下空間１５内に複数配置された床暖房パネル３４ａ，３４ｂおよび蛇行部３６に供給される。
【００５０】
さらに、各ファンコイルユニット３２にて熱交換されて冷却された循環水は、複数の分岐配管３１を経て戻りヘッダー２４に戻された後、この戻りヘッダー２４からは戻り配管２２および受け配管１３を経て水側熱交換器２に戻り、再度温水とされて上記と同様に屋内を循環する。
【００５１】
一方、床暖房パネル３４ａ，３４ｂおよび蛇行部３６に供給された温水は、各室の暖房を行い、熱交換された循環水は、複数の分岐配管３３ａ，３３ｂ，３５を経て戻りヘッダー２６に戻された後、この戻りヘッダー２６からは戻り配管２２および受け配管１３を経て水側熱交換器２に戻り、再度温水とされて上記と同様に屋内を循環する。
【００５２】
このように本実施形態によれば、空気側熱交換器１と水側熱交換器２とを別体に構成したことにより、空気側熱交換器１に既存の住宅用ヒートポンプ型エアコンディショナーの室外機を流用することができ、水側熱交換器２を新たに設置するだけで伝熱部である各ファンコイルユニット３２、床暖房パネル３４ａ，３４ｂおよび蛇行部３６に冷温水を導くことができる。
【００５３】
したがって、本実施形態では、空気側熱交換器１に既存の住宅用ヒートポンプを流用することができ、かつ水側熱交換器２を新たに設置するだけで冷温水を冷媒とする住宅用冷暖房装置を提供することができるため、施工工数、製造時間および製造コストを削減することができる。また、各ファンコイルユニット３２、床暖房パネル３４ａ，３４ｂおよび蛇行部３６に冷温水を導くことができるため、室内の急激な温度変化や室内を必要以上に乾燥させてしまう不具合を解消し、快適な冷暖房効果が得られる。
【００５４】
また、本実施形態によれば、水側熱交換器２は、設置状態で上下方向に延びる長円状に巻回形成された熱交換用配管１０を有することから、熱交換用配管１０を介して冷媒と循環水とが熱交換する面積が増大して熱交換効率を高めるとともに、設置スペースを削減することができる。
【００５５】
さらに、本実施形態によれば、熱交換用配管１０は、水を流通させる水配管１５と、水配管１５内に挿通され空気側熱交換器１から導かれる冷媒を流通させる複数本の冷媒配管１６とを備えたことにより、冷媒と循環水との熱交換効率を一段と高めることができる。
【００５６】
そして、本実施形態によれば、複数本の冷媒配管１６は、複数の放射状配管１６ａの内側に螺旋状配管１６ｂを配置したことにより、複数本の冷媒配管１６が径方向に分散して配置されるため、循環水の流通を円滑にすることができる。また、螺旋状配管１６ｂを配置したことで、循環水との接触面積が増し、冷媒と循環水との熱交換効率を一段と高めることができる。
【００５７】
本実施形態によれば、螺旋状配管１６ｂの螺旋ピッチを１３０〜２３０ｍｍの範囲としたことにより、螺旋状配管１６ｂ内に冷媒を円滑に流通させるとともに、循環水との接触面積を増加させることができる。
【００５８】
なお、本発明は上記実施形態に限定されることなく、種々の変更が可能である。例えば、上記実施形態では、水側熱交換器２から供給配管１２、往き配管２１、往きヘッダー２３および分岐配管３１を経て各ファンコイルユニット３２に冷温水を供給するようにしたが、これに限定されることなく、水側熱交換器２から供給配管１２、往き配管８および分岐配管３１を経て各ファンコイルユニット３２に直接冷温水を供給するようにしてもよい。
【００５９】
また同様に、本実施形態では、水側熱交換器２から供給配管１２、往き配管２１、往きヘッダー２５および複数の分岐配管３３ａ，３３ｂ，３５を経て床暖房パネル３４ａ，３４ｂおよび蛇行部３６に温水を供給するようにしたが、これに限定されることなく、水側熱交換器２から供給配管１２、往き配管２１および複数の分岐配管３３ａ，３３ｂ，３５を経て３４ａ，３４ｂおよび蛇行部３６に直接温水を供給するようにしてもよい。
【００６０】
しかしながら、冷温水の流量および温度の均一化を図るためには、上記実施形態のように水側熱交換器２から供給配管１２、往き配管２１、往きヘッダー２３および分岐配管３１を経て各ファンコイルユニット３２に冷温水を供給するとともに、供給配管１２、往き配管２１、往きヘッダー２５および複数の分岐配管３３ａ，３３ｂ，３５を経て床暖房パネル３４ａ，３４ｂおよび蛇行部３６に温水を供給することが望ましい。
【図面の簡単な説明】
【００６１】
【図１】本発明に係る住宅用冷暖房装置の一実施形態を示す配管系統図である。
【図２】図１における空気側熱交換器および水側熱交換器の内部構造を示す構成図である。
【図３】（Ａ），（Ｂ）は図２の熱交換用配管を示す正面図，側面図である。
【図４】（Ａ），（Ｂ）は図３の熱交換用配管を示す縦断面図，横断面図である。
【図５】本発明に係る住宅用冷暖房装置の一実施形態を示す空調系統図である。
【符号の説明】
【００６２】
１    空気側熱交換器
２    水側熱交換器
４    圧縮機
１０    熱交換用配管
１２    供給配管
１３    受け配管
１５    循環水配管
１６    冷媒配管
１６ａ  放射状配管
１６ｂ  螺旋状配管
２１    往き配管
２２    戻り配管
２３    往きヘッダー
２４    戻りヘッダー
２５    往きヘッダー
２６    戻りヘッダー
２７    天井裏空間
２８    床下空間
３１    分岐配管
３２    ファンコイルユニット（伝熱部）
３３ａ，３３ｂ  分岐配管
３４ａ，３４ｂ  床暖房パネル（伝熱部）
３６    蛇行部（伝熱部）
３７    電磁弁
４０    取入口
４１    吐出口
４２    吸気ダクト
４３    フィルタ
４４    全熱換気扇
４５    排気ダクト
４６    吸気ダクト
４７    供給ダクト
４８    吸気口
４９    ファン
５０    チャンバボックス
５１    排気ダクト
５２    排気口
【図１】
2005201603.tif 000003
【図２】
2005201603.tif 000004
【図３】
2005201603.tif 000005
【図４】
2005201603.tif 000006
【図５】
2005201603.tif 000007